【事件の表示】
　平成１１年特許願第３５４０５０号「土木工事用分離型レーザ測定器」拒絶査定に対する審判事件［平成１２年　９月　８日出願公開、特開２０００−２４１１６３］について、次のとおり審決する。
【結　論】
　本件審判の請求は、成り立たない。
【理　由】
【１】（手続の経緯・本願発明）
　本願は、平成１０年７月３１日に出願した特願平１０−２１７４６１号の一部を、特許法第４４条第１項の規定により新たな特許出願としたものにかかり、その請求項１乃至４に係る発明は、出願当初の明細書及び図面の記載からみて、その特許請求の範囲の請求項１乃至４に記載された事項により特定されるとおりのものと認められるところ、その請求項１には次のとおりに記載されている（以下、「本願発明１」と言う。）。
　「【請求項１】　レーザ光を照射するレーザ照射機構と、このレーザ照射機構を制御するための各種の制御機器類とを備えたレーザ測定器本体とが分離されて構成されていることを特徴とする土木工事用分離型レーザ測定器。」
【２】（引用例）
　これに対し、当審における、平成１４年１２月３日付けで通知した拒絶の理由に引用した本願出願前に頒布された特開平７−２１８２２５号公報（以下、「引用例１」という。）のものは、管路の変形状態調査装置に関し、図面と共に以下の記載がある。
（１）「【０００１】【産業上の利用分野】本発明は下水管路、その他のパイプライン等の変形状態を調査する調査装置に関する。」
（２）「【０００８】【課題を解決するための手段】この目的を達成するため、本発明の管路の変形状態調査装置は、光源を有し、管路の一端側に配置された光線発射器と、この光源から発射された光線が照射される標的盤を有し、管路の他端側から前記光線発射器に向けて移動する標的車と、を備え、光線の前記標的盤への照射位置を検出することにより変形状態を調査する管路の変形状態調査装置において、前記標的盤に多数個の受光素子を配置し、この受光素子が光線を受けることによって発する電気信号により光線の照射位置を検出するものである。」
（３）「【００１５】下水管１内の管路一端側にはレーザー光線発射器３（光線発射器）が固定用装置４を介して固定されていて、このレーザー光線発射器３の光源部５は任意方向に揺動できるように構成されている。管路は不等沈下により変形していて中間部に段部７が生じている。管路の他端側から移動してきた自走式標的車９の先端には標的盤１１が取り付けられているが、標的盤１１の前面には図２に示すように多数個のフォトトランジスター１３（受光素子）が網目状に配置されていて、レーザー光線発射器３から放出されたレーザー光線１５は３つのフォトトランジスター１３１，１３２，１３３を照射し（図３参照：図３中符号１９は照射部分である）、この３つのフォトトランジスター１３１，１３２，１３３が発する電気信号は地上に置かれたパーソナルコンピュータ１７に入力される。フォトトランジスター１３１は強い光を受けてフォトトランジスター１３２，１３３より大きな電気信号を発するが、パーソナルコンピュータ１７は３つのフォトトランジスター１３１，１３２，１３３の配置位置及び電気信号の強弱からなる電気信号分布に基づき照射部分１９の中心又は中心近傍位置を算出し、そしてこの中心又は中心近傍位置を照射位置として認識することにより標的車９位置の管路底の高さを演算する。そして、得られる管路底の高さデータに基づき管路の縦断面図が作成される。」
（４）「【００１７】標的車９がさらに前進するとレーザー光線１５は標的盤１１から外れるが、パーソナルコンピュータ１７にフォトトランジスター１３からの電気信号が入力されなくなると、レーザー光線発射器３の光源部５はパーソナルコンピュータ１７に制御されて照射位置が標的盤１１の中心２１に復帰するように揺動する（図１の仮想線参照）。中心２１の位置はレーザー光線１５が標的盤１１から外れるまでの照射位置の移動軌跡２３に基づき算出され、算出された中心２１にレーザー光線１５が照射されるように光源部５は揺動することとなる（図２参照：調査開始の際はレーザー光線１５が標的盤１１の中心２１に照射されるように調整されている）。」
　以上の記載事項を考慮すると、引用例１中には次の発明が記載されているものと認められる。
　レーザ光を照射するレーザ光線発射器３と、このレーザ光線発射器３の照射位置を制御するパーソナルコンピュータ１７とが分離されて構成されている管路の変形状態調査装置（以下、「引用例１に記載された発明」という。）。
【３】（対比）　
　引用例１における「パーソナルコンピュータ１７」について、引用例１中の、
「この３つのフォトトランジスター１３１，１３２，１３３が発する電気信号は地上に置かれたパーソナルコンピュータ１７に入力される。フォトトランジスター１３１は強い光を受けてフォトトランジスター１３２，１３３より大きな電気信号を発するが、パーソナルコンピュータ１７は３つのフォトトランジスター１３１，１３２，１３３の配置位置及び電気信号の強弱からなる電気信号分布に基づき照射部分１９の中心又は中心近傍位置を算出し、そしてこの中心又は中心近傍位置を照射位置として認識することにより標的車９位置の管路底の高さを演算する。そして、得られる管路底の高さデータに基づき管路の縦断面図が作成される。」（段落番号【００１５】）、及び、
「パーソナルコンピュータ１７にフォトトランジスター１３からの電気信号が入力されなくなると、レーザー光線発射器３の光源部５はパーソナルコンピュータ１７に制御されて照射位置が標的盤１１の中心２１に復帰するように揺動する（図１の仮想線参照）。中心２１の位置はレーザー光線１５が標的盤１１から外れるまでの照射位置の移動軌跡２３に基づき算出され、算出された中心２１にレーザー光線１５が照射されるように光源部５は揺動することとなる」（段落番号【００１７】）との記載から明らかなように、引用例１における「パーソナルコンピュータ１７」は、「レーザ光線発射器３」のレーザ光の照射位置を検出する機能、及び、照射角度を調整する機能を有すること、したがってそれらの機能を実行するための構成（ＣＰＵ、ソフトウエア等々）を備えていると言うことができる。
　一方、本願発明１における「レーザ測定器本体」については、段落番号【００３０】に「上記レーザ測定器本体１１１には、ＣＰＵ等を含むレーザ照射機構１１２のための各種の制御機器類、また空気袋１１３によるレーザ照射機構１１２の角度調整のための、コンプレッサやエアシリンダその他の制御機器類が内蔵されている。もちろん、空気袋１１３に対するコンプレッサやエアシリンダその他の制御機器類を切り離して設けることは可能である。」と記載されており、該記載と、「パーソナルコンピュータ１７」についての引用例１における前記記載とを比べてみれば、引用例１における「パーソナルコンピュータ１７」は、本願発明１における「レーザ測定器本体」に相当することは明らかである。
　そして、引用例１のものは、管路の変形状態の測定を行う、「レーザ光線発射器３」とそれを制御する「パーソナルコンピュータ１７」とが分離して構成されているのであるから、本願発明１と同様に「分離型レーザ測定器」と言うべきものである。
　以上のことを踏まえた上で、本願発明１と、前記引用例１に記載された発明とを対比すると、前記引用例１に記載された発明における、
「レーザ光線発射器３」、「照射位置を制御するパーソナルコンピュータ１７」は、それぞれ本願発明１の
「レーザ照射機構」、「各種の制御機器類とを備えたレーザ測定器本体」に相当し、本願発明１における「土木工事用分離型レーザ測定器」も、引用例１に記載された発明における「管路の変形状態調査装置」も、共に「分離型レーザ測定器」である点で一致するから、両者は、
　レーザ光を照射するレーザ照射機構と、このレーザ照射機構を制御するための各種の制御機器類とを備えたレーザ測定器本体とが分離されて構成されている分離型レーザ測定器、
である点で一致し、次の点で相違する。
相違点１．
　分離型レーザ測定器に関し、本願発明１は土木工事用であるのに対し、引用例１に記載された発明では、既に施設された管路の状態を測定するためのものである点。
【４】（当審の判断）
　前記相違点１について検討する。
　下水道や暗渠に用いるパイプ類を施設する土木工事において、レーザ測定器を用いることは、当業者において周知である（例えば、特公平８−２３１４１号公報参照）から、引用例１に記載された発明を土木工事用レーザ測定器に施して請求項１に係る発明の構成とすることに格別の困難性は認められない。また、この種の装置を、作業の終了時マンホールから取り出すことは、当業者が普通に行っていることである（例えば、登録実用新案第３００７１０８号公報、段落番号【０００８】の記載参照）から、請求項１に係る発明の「マンホール１０６の径が小さい場合でも、施工終了後にレーザ照射機構１１２をマンホール１０６内から何ら問題なく回収することができる。」（本願明細書段落番号【００３４】）という効果も、当業者が容易に予測し得る範囲のことと認められる。
【５】（むすび）
  したがって、本願の請求項１に係る発明は、前記引用例１に記載された発明及び周知技術に基いて当業者が容易に発明をすることが出来たものと認められる故、特許法第２９条第２項の規定により特許を受けることが出来ない。
　前記のとおり、本願の請求項１に係る発明が特許を受けることができないものであるから、本願のその余の請求項に係る発明について審究するまでもなく、本願は拒絶すべきものである。
　よって結論のとおり審決する。